(57)【要約】【課題】記録媒体の空き容量が少なくなり、予め設定した画像サイズや画質での撮影が困難となった状態でも、さらに撮影を続行して、少なくともどのような被写体を撮影したのかその履歴を残す。【解決手段】撮影により得た本画像データを、この本画像データを縮小して所定の構成画素数にしたインデックス(サムネイル)画像データとをメモリカード28に記録する撮像装置で、メモリカード28の空き容量が所定のしきい値以上あるか否かを判断し、所定のしきい値以上ないと判断した場合に、本画像データから作成したインデックス(サムネイル)画像データのメモリカード28への記録は実施させる制御部22を備える。【選択図】      図１
2008022477.tif 000002
【特許請求の範囲】
【請求項１】
撮影により得た本画像データと、この本画像データを縮小して所定の構成画素数にしたインデックス画像データとを記録部に記録する撮像装置であって、
上記記録部の空き容量が所定のしきい値以上あるか否かを判断する判断手段と、
この判断手段により上記記録部の空き容量が所定のしきい値以上ないと判断された場合に、上記本画像データの上記記録部への記録は留保させると共に、上記本画像データから作成したインデックス画像データの上記記録部への記録は実施させる記録制御手段と
を具備したことを特徴とする撮像装置。
【請求項２】
上記記録部は、少なくとも本画像データを記録する第１の領域と、インデックス画像データを所定数記録可能な第２の領域とが予め区分設定され、
上記判断手段は、上記記録部の第１の領域の空き容量が所定のしきい値以上あるか否かを判断し、
上記記録制御手段は、上記判断手段により上記第１の領域の空き容量が所定のしきい値以上ないと判断された場合に、上記本画像データの上記記録部への記録を留保する
ことを特徴とする請求項１記載の撮像装置。
【請求項３】
上記記録制御手段は、上記本画像データから作成したインデックス画像データを上記第２の領域に記録させる
ことを特徴とする請求項２記載の撮像装置。
【請求項４】
上記記録制御手段は、上記判断手段により上記第１の領域の空き容量が所定のしきい値以上ないと判断された場合にのみ、上記本画像データから作成したインデックス画像データを上記第２の領域に記録させる
ことを特徴とする請求項３記載の撮像装置。
【請求項５】
上記記録制御手段は、上記第２の領域にすでに所定数のインデックス画像データが記録されている状態でさらにインデックス画像データを記録する場合に、インデックス画像データに付加されている時間情報の古いものから順次上書き記録させることを特徴とする請求項３または４記載の撮像装置。
【請求項６】
上記記録制御手段は、上記記録部の第１の領域に、上記本画像データとともに上記インデックス画像データを関連付けて記録させるとともに、上記判断手段により上記第１の領域の空き容量が所定のしきい値以上ないと判断された場合に、上記本画像データとともに上記インデックス画像データの上記第１の領域への記録を留保する
ことを特徴とする請求項２乃至５いずれかに記載の撮像装置。
【請求項７】
上記撮影により得た本画像データを縮小して、上記インデックス画像データ（以下「第１のインデックス画像データ」）より構成画素数の大きな第２のインデックス画像データを作成する画像作成手段をさらに具備し、
上記記録制御手段は、上記記録部の第２の領域に上記画像作成手段で作成した第２のインデックス画像データを記録する
ことを特徴とする請求項２または３記載の撮像装置。
【請求項８】
上記記録制御手段は、上記記録部の第２の領域に上記画像作成手段で作成した第２のインデックス画像データと第１のインデックス画像データとを関連付けて記録することを特徴とする請求項７記載の撮像装置。
【請求項９】
上記記録部は複数の記録媒体で構成され、上記第１の領域と第２の領域は異なる記録媒体単位で区分設定することを特徴とする請求項２乃至８いずれかに記載の撮像装置。
【請求項１０】
撮影により得た本画像データと、この本画像データを縮小して所定の構成画素数にしたインデックス画像データとを記録部に記録する撮像装置の記録方法であって、
上記記録部の空き容量が所定のしきい値以上あるか否かを判断する判断工程と、
この判断工程で上記記録部の空き容量が所定のしきい値以上ないと判断した場合に、上記本画像データの上記記録部への記録は留保させると共に、上記本画像データから作成したインデックス画像データの上記記録部への記録は実施させる記録制御工程と
を有したことを特徴とする撮像装置の記録方法。
【請求項１１】
撮影により得た本画像データと、この本画像データを縮小して所定の構成画素数にしたインデックス画像データとを記録部に記録する撮像装置に内蔵したコンピュータが実行するプログラムであって、
上記記録部の空き容量が所定のしきい値以上あるか否かを判断する判断ステップと、
この判断ステップで上記記録部の空き容量が所定のしきい値以上ないと判断された場合に、上記本画像データの上記記録部への記録は留保させると共に、上記本画像データから作成したインデックス画像データの上記記録部への記録は実施させる記録制御ステップと
をコンピュータに実行させることを特徴とするプログラム。
【発明の詳細な説明】
【技術分野】
【０００１】
本発明は、画像の電子データをメモリカードに記録するデジタルカメラ等の小型電子機器に好適な撮像装置、撮像装置の記録方法及びプログラムに関する。
【背景技術】
【０００２】
近時、銀塩フィルムを用いたカメラに代えて、撮影した画像を電子データ化してメモリカードなどの記録媒体に記録するデジタルカメラが広く一般に普及している。この種のデジタルカメラでは、入力端である撮像素子であるＣＣＤ（Ｃｈａｒｇｅ  Ｃｏｕｐｌｅｄ  Ｄｉｖｉｃｅ：電荷結合素子）やＣＭＯＳイメージセンサ等の高密度化に伴い、撮影することのできる画像データのサイズ、具体的には矩形の画像データの縦横各構成画素数が飛躍的に向上している。
【０００３】
しかしながら、撮影により得られる画像データのサイズが向上するのに伴い、記録媒体であるメモリカードの容量が同じであれば、当然ながら記録すべき画像データの数が減少してしまうことになる。
【０００４】
近時は、出力端であるメモリカードの高容量化、低価格化も促進されており、さらにはデジタルカメラの画像処理系のプロセッサとなるＬＳＩの省電力化や電源となる電池の容量も上がっていることから、より多くの画像を連続して撮影することが可能となっているが、いずれにしても撮影可能な画像の数が限定されている点は否めない。
【０００５】
この点で、記録容量の少ない場合でも、画像サイズまたは圧縮率のいずれか一方を優先させて所望枚数の撮影を行なうべく、装着された記録用メモリカードの容量を検出し、ユーザがメモリカードの容量内の希望撮影枚数を入力すると、圧縮率と画像サイズの２つの要因のいずれを優先させるか優先モードの設定を行ない、その設定内容に従って優先設定しなかった側の要因を調整しながら所望枚数の撮影画像の記録を行なうようにした技術が考えられている。（例えば、特許文献１）
【特許文献１】特開２００３−１５８６６５号公報
【発明の開示】
【発明が解決しようとする課題】
【０００６】
しかしながら、上記特許文献に記載された技術も、記載中にある、予め所望の希望撮影枚数を入力する「枚数固定モード」という言葉で代表されるように、撮影することのできる画像データの数に限りがあるという点では同様であり、記録媒体の空き容量がなくなった時点でそれ以上の撮影を行なうことができなくなる。
【０００７】
本発明は上記のような実情に鑑みてなされたもので、その目的とするところは、記録媒体の空き容量が少なくなり、予め設定した画像サイズや画質での撮影が困難となった状態でも、さらに撮影を続行して、少なくともどのような被写体を撮影したのかその履歴を残すことが可能な撮像装置、撮像装置の記録方法及びプログラムを提供することにある。
【課題を解決するための手段】
【０００８】
請求項１記載の発明は、撮影により得た本画像データと、この本画像データを縮小して所定の構成画素数にしたインデックス画像データとを記録部に記録する撮像装置であって、上記記録部の空き容量が所定のしきい値以上あるか否かを判断する判断手段と、この判断手段により上記記録部の空き容量が所定のしきい値以上ないと判断された場合に、上記本画像データの上記記録部への記録は留保させると共に、上記本画像データから作成したインデックス画像データの上記記録部への記録は実施させる記録制御手段とを具備したことを特徴とする。
【０００９】
請求項２記載の発明は、上記請求項１記載の発明において、上記記録部は、少なくとも本画像データを記録する第１の領域と、インデックス画像データを所定数記録可能な第２の領域とが予め区分設定され、上記判断手段は、上記記録部の第１の領域の空き容量が所定のしきい値以上あるか否かを判断し、上記記録制御手段は、上記判断手段により上記第１の領域の空き容量が所定のしきい値以上ないと判断された場合に、上記本画像データの上記記録部への記録を留保することを特徴とする。
【００１０】
請求項３記載の発明は、上記請求項２記載の発明において、上記記録制御手段は、上記本画像データから作成したインデックス画像データを上記第２の領域に記録させることを特徴とする。
【００１１】
請求項４記載の発明は、上記請求項３記載の発明において、上記記録制御手段は、上記判断手段により上記第１の領域の空き容量が所定のしきい値以上ないと判断された場合にのみ、上記本画像データから作成したインデックス画像データを上記第２の領域に記録させることを特徴とする。
【００１２】
請求項５記載の発明は、上記請求項３または４記載の発明において、上記記録制御手段は、上記第２の領域にすでに所定数のインデックス画像データが記録されている状態でさらにインデックス画像データを記録する場合に、インデックス画像データに付加されている時間情報の古いものから順次上書き記録させることを特徴とする。
【００１３】
請求項６記載の発明は、上記請求項２乃至５いずれかに記載の発明において、上記記録制御手段は、上記記録部の第１の領域に、上記本画像データとともに上記インデックス画像データを関連付けて記録させるとともに、上記判断手段により上記第１の領域の空き容量が所定のしきい値以上ないと判断された場合に、上記本画像データとともに上記インデックス画像データの上記第１の領域への記録を留保することを特徴とする。
【００１４】
請求項７記載の発明は、上記請求項２または３記載発明において、上記撮影により得た本画像データを縮小して、上記インデックス画像データ（以下「第１のインデックス画像データ」）より構成画素数の大きな第２のインデックス画像データを作成する画像作成手段をさらに具備し、上記記録制御手段は、上記記録部の第２の領域に上記画像作成手段で作成した第２のインデックス画像データを記録することを特徴とする。
【００１５】
請求項８記載の発明は、上記請求項７記載の発明において、上記記録制御手段は、上記記録部の第２の領域に上記画像作成手段で作成した第２のインデックス画像データと第１のインデックス画像データとを関連付けて記録することを特徴とする。
【００１６】
請求項９記載の発明は、上記請求項２乃至８いずれかに記載の発明において、上記記録部は複数の記録媒体で構成され、上記第１の領域と第２の領域は異なる記録媒体単位で区分設定することを特徴とする。
【００１７】
請求項１０記載の発明は、撮影により得た本画像データと、この本画像データを縮小して所定の構成画素数にしたインデックス画像データとを記録部に記録する撮像装置の記録方法であって、上記記録部の空き容量が所定のしきい値以上あるか否かを判断する判断工程と、この判断工程で上記記録部の空き容量が所定のしきい値以上ないと判断した場合に、上記本画像データの上記記録部への記録は留保させると共に、上記本画像データから作成したインデックス画像データの上記記録部への記録は実施させる記録制御工程とを有したことを特徴とする。
【００１８】
請求項１１記載の発明は、撮影により得た本画像データと、この本画像データを縮小して所定の構成画素数にしたインデックス画像データとを記録部に記録する撮像装置に内蔵したコンピュータが実行するプログラムであって、上記記録部の空き容量が所定のしきい値以上あるか否かを判断する判断ステップと、この判断ステップで上記記録部の空き容量が所定のしきい値以上ないと判断された場合に、上記本画像データの上記記録部への記録は留保させると共に、上記本画像データから作成したインデックス画像データの上記記録部への記録は実施させる記録制御ステップとをコンピュータに実行させることを特徴とする。
【発明の効果】
【００１９】
請求項１記載の発明によれば、記録部の空き容量が少なく、予め設定されている画像サイズや画質での本画像データの記録を行なうことができない場合でも、インデックス画像データによりどのような被写体の撮影を行なったのか、その履歴だけは残すことができる。
【００２０】
請求項２記載の発明によれば、上記請求項１記載の発明の効果に加えて、記憶部を予め正規の本画像データを記憶するエリアとインデックス画像データを所定数記憶するエリアとに区分設定しておくことにより、２つのエリアの区分設定をユーザ自身が把握しておくことで、インデックス画像データとして撮影することのできる被写体の履歴を所定数だけは確保できる。
【００２１】
請求項３記載の発明によれば、上記請求項２記載の発明の効果に加えて、本画像データから作成したインデックス画像データを第２の領域に記録することで、確実に撮影の履歴を残すことができる。
【００２２】
請求項４記載の発明によれば、上記請求項３記載の発明の効果に加えて、第１の領域に必要に空き容量がない場合でもどのような被写体の撮影を行なったのかは容易に理解可能な状態で確実に残すことができる。
【００２３】
請求項５記載の発明によれば、上記請求項３または４記載の発明の効果に加えて、新しいインデックス画像の撮影に伴って古いインデックス画像データを自動的に消去することにより、ユーザの手間を簡略化し、シャッタチャンスを逃さず、いつでもインデックス画像の撮影を実行できる。
【００２４】
請求項６記載の発明によれば、上記請求項２乃至５いずれかに記載の発明の効果に加えて、記録部の第１の領域への本画像データ及びインデックス画像データの記録をその空き容量によって制限することにより、すでに第１の領域に記録した内容を確実に保護することができる。
【００２５】
請求項７記載の発明によれば、上記請求項２または３記載の発明の効果に加えて、本来のサイズの本画像データには劣るものの、例えば装置に備えられる表示部の画面サイズに適した第２のインデックス画像データを第２の領域に記録することで、内容の確認を行なう程度には明瞭な第２のインデックス画像データを得て記録させることができる。
【００２６】
請求項８記載の発明によれば、上記請求項７記載の発明の効果に加えて、第２のインデックス画像データを第１のインデックス画像データと関連付けて記録することで、他の外部機器、例えばプリンタやパーソナルコンピュータ等でも第２のインデックス画像データを本来のデータ構造の画像データと同様に認識し、利用することができる。
【００２７】
請求項９記載の発明によれば、上記請求項２乃至８いずれかに記載の発明の効果に加えて、少なくとも１つは装置本体に対して装脱可能なメモリカードを記録媒体として用いることにより、ユーザが任意のその記録容量を選択設定することができる。
【００２８】
請求項１０記載の発明によれば、記録部の空き容量が少なく、予め設定されている画像サイズや画質での記録を行なうことができない場合でも、インデックス画像データによりどのような被写体の撮影を行なったのか、その履歴だけは残すことができる。
【００２９】
請求項１１記載の発明によれば、記録部の空き容量が少なく、予め設定されている画像サイズや画質での記録を行なうことができない場合でも、インデックス画像データによりどのような被写体の撮影を行なったのか、その履歴だけは残すことができる。
【発明を実施するための最良の形態】
【００３０】
（第１の実施の形態）  
以下本発明をデジタルカメラに適用した場合の第１の実施の形態について図面を参照して説明する。
【００３１】
図１は、このデジタルカメラ１０の電子回路の概念構成を示すものである。  
図中、撮影モードでのモニタリング状態においては、モータ（Ｍ）１１の駆動により撮影レンズ光学系１２中の一部のレンズ、具体的にはズームレンズ及びフォーカスレンズの位置が適宜移動される。この撮影レンズ光学系１２の撮影光軸後方の結像位置に、図示しないメカニカルシャッタを介して、固体撮像素子であるＣＣＤ１３が配置される。
【００３２】
ＣＣＤ１３は、タイミング発生器（ＴＧ）１４、ＣＣＤドライバ１５によって走査駆動され、一定周期毎に結像した光像に対応する光電変換出力を１画面分出力する。
【００３３】
この光電変換出力は、ＡＧＣ／ＳＨ（Ａｕｔｏ  Ｇａｉｎ  Ｃｏｎｔｒｏｌ／Ｓａｍｐｌｅ  Ｈｏｌｄ）回路１６において、アナログ値の信号の状態でＲＧＢの各原色成分毎にその時点に設定されているＩＳＯ感度に応じて自動ゲイン調整された後にサンプルホールドされ、Ａ／Ｄ変換器１７に送られる。
【００３４】
Ａ／Ｄ変換器１７では、アナログの画像データをデジタルデータに変換し、カラープロセス回路１８へ出力する。
【００３５】
カラープロセス回路１８は、デジタルの画像データに対して画素補間処理及びγ補正処理を含むカラープロセス処理を行ない、マトリックス変換によりデジタル値の輝度信号Ｙ及び色差信号Ｃｂ，Ｃｒを生成した後にＤＭＡ（Ｄｉｒｅｃｔ  Ｍｅｍｏｒｙ  Ａｃｃｅｓｓ）コントローラ１９に出力する。
【００３６】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００３７】
制御部２２は、ＣＰＵと、後述する撮影時の画像データの記録処理を含む動作プログラムを固定的に記憶したフラッシュメモリなどの不揮発性メモリ、及びワークメモリとして使用されるＲＡＭ等により構成され、このデジタルカメラ１０全体の制御動作を司るもので、上記輝度及び色差信号のＤＲＡＭ２１へのＤＭＡ転送終了後に、この輝度及び色差信号をＤＲＡＭインタフェース２０を介してＤＲＡＭ２１より読出し、表示コントローラ２３を介してＶＲＡＭ２４に書込む。
【００３８】
表示コントローラ２３は、上記輝度及び色差信号をＶＲＡＭ２４より定期的に読出し、これらのデータを元にビデオ信号を発生して表示部２５に出力する。
【００３９】
この表示部２５は、デジタルカメラ１０の筐体背面に配設された例えばバックライト付きのカラー液晶パネルとその駆動回路とで構成されるもので、撮影モード時には電子ファインダとして機能し、表示コントローラ２３からのビデオ信号に基づいた表示を行なうことで、その時点で表示コントローラ２３から取込んでいる画像情報に基づく画像をリアルタイムにモニタ表示する一方で、再生モード時には選択した画像等を再生表示する。
【００４０】
このように表示部２５にその時点での画像をモニタ画像としてリアルタイムに表示している、所謂スルー画像の表示状態で、静止画撮影を行ないたいタイミングでキー入力部２６の一部を構成するシャッタキーを操作すると、トリガ信号を発生する。
【００４１】
制御部２２は、このトリガ信号に応じてその時点でＣＣＤ１３から取込んでいる１画面分の輝度及び色差信号のＤＲＡＭ２１へのＤＭＡ転送を取り止め、あらためて適正な露出条件に従ったシャッタ速度で図示しないメカニカルシャッタ及び上記ＣＣＤ１３を駆動して１画面分の輝度及び色差信号を得てＤＲＡＭ２１へ転送し、その後にこの経路を停止し、記憶保存の状態に遷移する。
【００４２】
この記憶保存の状態では、制御部２２がＤＲＡＭ２１に書込まれている１フレーム分の輝度及び色差信号をＤＲＡＭインタフェース２０を介してＹ，Ｕ，Ｖの各コンポーネント毎に縦８画素×横８画素の基本ブロックと呼称される単位で読出して画像圧縮／伸長回路２７に書込み、この画像圧縮／伸長回路２７で所定の画像フォーマット、例えばＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）に従ったＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等のデータ圧縮処理により符号化する。
【００４３】
そして、得た符号データを１画像分のデータファイルとして該画像圧縮／伸長回路２７から読出し、このデジタルカメラ１０に着脱自在に装着されるメモリカード２８か、あるいはメモリカード２８が装着されていない場合にはこのデジタルカメラ１０内に固定的に備えられた内蔵メモリ２９に書込む。
【００４４】
そして、１フレーム分の輝度及び色差信号の圧縮処理とメモリカード２８または内蔵メモリ２９への全圧縮データの書込み終了に伴なって、制御部２２はＣＣＤ１３からＤＲＡＭ２１への経路を再び起動する。
【００４５】
また、制御部２２には、上述したキー入力部２７と、音声処理部３０、及びフラッシュ駆動部３１が接続される。
【００４６】
キー入力部２７は、上述したシャッタキーの他に、電源キー、ズームキー、撮影モードキー、再生モードキー、カーソルキー、セットキー、メニューキー、マクロキー、及びフラッシュキー等から構成され、それらのキー操作に伴なう信号は直接制御部２２へ送出される。
【００４７】
音声処理部３０は、ＰＣＭ音源等の音源回路を備え、音声の録音時にはこのデジタルカメラ１０の筐体前面に配設されたマイクロホン部３２より入力された音声信号をデジタル化し、所定のデータファイル形式、例えばＭＰ３（Ｍｏｖｉｎｇ  Ｐｉｃｔｕｒｅ  ｃｏｄｉｎｇ  Ｅｘｐｅｒｔｓ  Ｇｒｏｕｐ−１  ａｕｄｉｏ  ｌａｙｅｒ  ３）規格にしたがってデータ圧縮して音声データファイルを作成し、上記メモリカード２８または内蔵メモリ２９へ送出する。
【００４８】
一方、音声処理部３０は、音声の再生時にメモリカード２８または内蔵メモリ２９から読出されてきた音声データファイルの圧縮を解いてアナログ化し、上記表示部２５と同じくデジタルカメラ１０の背面側に設けられるスピーカ部３３を駆動して、拡声放音させる。
【００４９】
フラッシュ駆動部３１は、静止画像撮影時に図示しないフラッシュ駆動用の大容量コンデンサを充電した上で、制御部２２からの制御に基づいてキセノン放電管等で構成されるフラッシュ発光部３４を閃光駆動させる。
【００５０】
しかるに、撮影モード時に静止画像ではなく動画像の撮影が選択されている場合には、１回目のシャッタキーが操作された時点で、上述した静止画データを取得して画像圧縮／伸長回路２７でデータ圧縮し、メモリカード２８または内蔵メモリ２９へ記憶するという一連の動作を適宜フレームレート、例えば３０［フレーム／秒］で連続して実行するものとして開始し、該シャッタキーが２回目に操作されるか、または所定の制限時間、例えば３０秒が経過した時点でそれら一連の静止画データファイルを一括してモーションＪＰＥＧのデータファイル（ＡＶＩファイル）として設定し直す。
【００５１】
また、再生モード時には、制御部２２がメモリカード２８または内蔵メモリ２９に記憶されている画像データを選択的に読出し、画像圧縮／伸長回路２７で撮影モード時にデータ圧縮した手順と全く逆の手順で圧縮されている画像データを伸長し、伸長した画像データをＤＲＡＭインタフェース２０を介しＤＲＡＭ２１に保持させた上で、このＤＲＡＭ２１の保持内容を表示コントローラ２３を介してＶＲＡＭ２４に記憶させ、このＶＲＡＭ２４より定期的に画像データを読出してビデオ信号を発生し、上記表示部２５で再生させる。
【００５２】
選択した画像データが静止画像ではなく動画像であった場合、選択した動画像ファイルを構成する個々の静止画データの再生を所定のフレームレートで時間的に連続して実行し、最後の静止画データの再生を終了した時点で、次に再生の指示がなされるまで先頭に位置する静止画データのみを用いて再生表示する。
【００５３】
次に上記実施の形態の動作について説明する。  
図２は、静止画像の撮影モード時の基本的な処理内容を示すもので、その制御動作はすべて制御部２２内の不揮発性メモリに記憶された動作プログラムに基づいて制御部２２が実行する。
【００５４】
その動作当初には、その時点でＣＣＤ１３に結像されている内容を表示部２５にて表示させる、所謂スルー画像の表示を行ないながら（ステップＡ０１）、キー入力部２６のシャッタキーの操作があったか否かを判断する（ステップＡ０２）、という処理を繰返し実行することで、スルー画像を表示しながら、シャッタキーが操作されるのを待機する。
【００５５】
しかして、静止画像の撮影を指示するべくシャッタキーが操作されると、上記ステップＡ０２でこれを判断し、シャッタキーの操作をトリガとしてそれまでのスルー画像の表示状態を一旦停止し、直ちにＡＦ（自動合焦）処理及びＡＥ（自動露光）処理を実行して適正な合焦位置、露光値を決定した上でこれらをロックし（ステップＡ０３）、その時点で設定されている画像サイズ、及び画質の条件に基づく撮影を実行して（ステップＡ０４）、得た画像データを本画像データとしてＤＲＡＭ２１へ保持する。
【００５６】
このとき制御部２２は、上記ＤＲＡＭ２１に保持する画像データ１フレーム分を適宜所定の圧縮率でデータ圧縮し、加えてこの画像データから所定の画像サイズに縮小したインデックス画像であるサムネイル画像を作成した上で各種撮影条件のデータ等を付加した、Ｅｘｉｆ（Ｅｘｃｈａｎｇｅａｂｌｅ  ｉｍａｇｅ  ｆｉｌｅ  ｆｏｒｍａｔ）規格に則ったＪＰＥＧデータファイルを作成した場合のデータ量を試算し、そのデータ量分だけメモリカード２８（メモリカード２８が装着されていない場合は内蔵メモリ２９）に空きがあるか否かを判断する（ステップＡ０５）。
【００５７】
ここで、メモリカード２８（または内蔵メモリ２９）に必要な空き容量があると判断した場合には、そのままＤＲＡＭ２１に保持している画像データにより上述したＥｘｉｆの規格に則ったＪＰＥＧの画像データファイルを作成し、メモリカード２８（または内蔵メモリ２９）に記録した上で（ステップＡ０６）、次の撮影に備えるべく、再び上記ステップＡ０１からの処理に戻る。
【００５８】
また、上記ステップＡ０５でメモリカード２８（または内蔵メモリ２９）に必要な空き容量がないと判断した場合には、次に上記ＤＲＡＭ２１に保持する画像データからインデックス画像であるサムネイル画像を作成した場合の当該サムネイル画像分の空き容量がメモリカード２８（メモリカード２８）にあるか否かを判断する（ステップＡ０７）。
【００５９】
ここで、サムネイル画像分の空き容量があると判断した場合には、次いでＤＲＡＭ２１に保持している画像データからサムネイル画像の画像データのみを作成し、インデックス画像としてメモリカード２８（または内蔵メモリ２９）に記録する（ステップＡ０８）。
【００６０】
このサムネイル画像のみの記録を行なった上で、空き容量が足りないためにサムネイル画像のみを記録した旨のガイドメッセージ（図では「警告メッセージ１」と称する）、例えば  
「メモリが足りないために、  
サムネイル画像のみを記録しました。  
不要な画像を消去して下さい。」  
なる文字列を表示部２５にて一定時間表示し（ステップＡ０９）、その後に次の撮影に備えるべく、再び上記ステップＡ０１からの処理に戻る。
【００６１】
また、上記ステップＡ０７でメモリカード２８（または内蔵メモリ２９）にサムネイル画像分の空き容量もないと判断した場合には、まったくメモリカード２８（または内蔵メモリ２９）に空きがなく、以後撮影モードでの動作を続行しても意味がないものとして、ＤＲＡＭ２１に保持している画像データを破棄した上で、空き容量がまったくない旨のガイドメッセージ（図では「警告メッセージ２」と称する）を表示部２５にて表示する（ステップＡ１０）。
【００６２】
図３は、このとき表示部２５で表示されるガイドメッセージを含めた画面を例示するものである。同図では、表示部２５の画面上部にて  
「メモリが足りません。画像を消去して  
ください」  
なるガイドメッセージの文字列を表示する一方で、画面下部にて画像データファイルの「消去」及びこの警告画面の「キャンセル」のいずれかを選択的に操作するべく指示項目を表示している。
【００６３】
加えて、画面中央では撮影に必要な記憶容量の概要をインジケータ表示している。すなわち、撮影した画像を保存するために必要なメモリの量を全体のスケールＳＣ１で表示すると共に、現時点で確保されている空き容量をスケールＳＣ２で表示し、さらに同メモリ中の画像ファイル中でタイムスタンプ情報が最も古いものを消去した場合に得られる空き容量をスケールＳＣ３で表示している。
【００６４】
このようなインジケータ表示を行なうことで、撮影した画像をデータファイル化して記録するために必要な記憶容量等をユーザが理解し易いように視覚的に表現するため、ユーザの操作を促してすみやかにすでに記録されている不要な画像データファイルの消去を実行させることができる。
【００６５】
しかして、上記図３で示したような表示を行なった状態から、画像データファイルの消去を指示するキー操作がなされたか否かを判断する（ステップＡ１１）。
【００６６】
ここで、消去を指示するキー操作がなされたと判断した場合には、キー操作に応じて不要な画像データファイル、例えば上述したようにメモリカード２８（または内蔵メモリ２９）に記録されている画像ファイル中でタイムスタンプ情報が最も古いものを消去し、メモリカード２８（または内蔵メモリ２９）の空き容量を確保した上で（ステップＡ１２）、次の撮影に備えるべく、再び上記ステップＡ０１からの処理に戻る。
【００６７】
また、上記ステップＡ１１で消去を指示するキー操作ではなく、キャンセルを指示するキー操作がなされた場合には、そのまま次の撮影に備えるべく、再び上記ステップＡ０１からの処理に戻る。
【００６８】
このように、撮影により得た画像データを記録する記録媒体の空き容量が少ない場合に、予め設定されている画像サイズや画質での記録を行なうことはできないものの、多少の空き領域があれば、インデックス画像であるサムネイル画像を作成して記録するようになるため、どのような被写体の撮影を行なったのか、その履歴だけは残すことができる。
【００６９】
（第２の実施の形態）  
以下本発明をデジタルカメラに適用した場合の第２の実施の形態について図面を参照して説明する。  
なお、このデジタルカメラの電子回路の構成自体については、基本的に上記図１に示した内容と同様であるので、同一部分には同一符号を用いて、その図示と説明とを省略するものとする。
【００７０】
なお、本実施の形態では、図４に示す如く、メモリカード２８及び内蔵メモリ２９はいずれも、撮影により得た画像データをユーザが予め設定した画像サイズでデータファイル化して記録する本画像領域ＡＲ０１と、サムネイル画像を所定数記録するアルバム領域ＡＲ０２とを区分設定しているものとする。
【００７１】
本画像領域ＡＲ０１は、その時点でユーザが設定している画像サイズに応じた画像データと、当該画像データから作成したサムネイル画像データ、及び撮影データ等を一括してＪＰＥＧデータファイルとして記録する領域である。したがって、この本画像領域ＡＲ０１に記録することのできるＪＰＥＧデータファイルの数は、その時点でユーザが設定している画像サイズにより増減する。
【００７２】
一方のアルバム領域ＡＲ０２は、画像サイズが定まっているサムネイル画像データのみを所定数、例えば５０枚分記憶する固定容量の領域となる。
【００７３】
図５は、静止画像の撮影モード時の基本的な処理内容を示すもので、その制御動作はすべて制御部２２内の不揮発性メモリに記憶された動作プログラムに基づいて制御部２２が実行する。
【００７４】
その動作当初には、その時点でＣＣＤ１３に結像されている内容を表示部２５にて表示させる、所謂スルー画像の表示を行ないながら（ステップＢ０１）、キー入力部２６のシャッタキーの操作があったか否かを判断する（ステップＢ０２）、という処理を繰返し実行することで、スルー画像を表示しながら、シャッタキーが操作されるのを待機する。
【００７５】
しかして、静止画像の撮影を指示するべくシャッタキーが操作されると、上記ステップＢ０２でこれを判断し、シャッタキーの操作をトリガとしてそれまでのスルー画像の表示状態を一旦停止し、直ちにＡＦ（自動合焦）処理及びＡＥ（自動露光）処理を実行して適正な合焦位置、露光値を決定した上でこれらをロックし（ステップＢ０３）、その時点で設定されている画像サイズ、及び画質の条件に基づく撮影を実行して（ステップＢ０４）、得た画像データを本画像データとしてＤＲＡＭ２１へ保持する。
【００７６】
このとき制御部２２は、上記ＤＲＡＭ２１に保持する画像データ１フレーム分を適宜所定の圧縮率でデータ圧縮し、加えてこれに所定の画像サイズに圧縮したインデックス画像であるサムネイル画像を作成した上で各種撮影条件のデータ等を付加した、Ｅｘｉｆ（Ｅｘｃｈａｎｇｅａｂｌｅ  ｉｍａｇｅ  ｆｉｌｅ  ｆｏｒｍａｔ）規格に則ったＪＰＥＧデータファイルを作成した場合のデータ量を試算し、そのデータ量分だけメモリカード２８（メモリカード２８が装着されていない場合は内蔵メモリ２９）の本画像領域ＡＲ０１に空きがあるか否かを判断する（ステップＢ０５）。
【００７７】
ここで、メモリカード２８（または内蔵メモリ２９）の本画像領域ＡＲ０１に必要な空き容量があると判断した場合には、そのままＤＲＡＭ２１に保持している画像データにより上述したＥｘｉｆの規格に則ったＪＰＥＧの画像データファイルを作成し、メモリカード２８（または内蔵メモリ２９）の本画像領域ＡＲ０１に記録した上で（ステップＢ０６）、次の撮影に備えるべく、再び上記ステップＢ０１からの処理に戻る。
【００７８】
また、上記ステップＢ０５でメモリカード２８（または内蔵メモリ２９）の本画像領域ＡＲ０１に必要な空き容量がないと判断した場合には、次に上記ＤＲＡＭ２１に保持する画像データからインデックス画像であるサムネイル画像を作成した場合の当該サムネイル画像分の空き容量がメモリカード２８（メモリカード２８）のアルバム領域ＡＲ０２にあるか否かを判断する（ステップＢ０７）。
【００７９】
ここで、サムネイル画像分の空き容量があると判断した場合には、次いでＤＲＡＭ２１に保持している画像データからサムネイル画像の画像データのみを作成し、インデックス画像としてメモリカード２８（または内蔵メモリ２９）のアルバム領域ＡＲ０２に記録する（ステップＢ０８）。
【００８０】
また、上記メモリカード２８（メモリカード２８）のアルバム領域ＡＲ０２にサムネイル画像分の空き容量がないと判断した場合には、次いでＤＲＡＭ２１に保持している画像データからサムネイル画像の画像データのみを作成し、メモリカード２８（または内蔵メモリ２９）のアルバム領域ＡＲ０２にすでに記録されている、最もタイムスタンプ情報の古いサムネイル画像を消去設定した上でその古いサムネイル画像に新しいサムネイル画像を上書き記録する（ステップＢ１０）。
【００８１】
上記ステップＢ０８またはＢ１０でサムネイル画像のみの記録を行なった上で、空き容量が足りないためにサムネイル画像のみを記録した旨のガイドメッセージ（図では「警告メッセージ」と称する）、例えば  
「メモリが足りないために、  
サムネイル画像のみを記録しました。  
不要な画像を消去して下さい。」  
なる文字列を表示部２５にて一定時間表示し（ステップＢ０９）、その後に次の撮影に備えるべく、再び上記ステップＢ０１からの処理に戻る。
【００８２】
このように、画像を記録するための媒体であるメモリカード２８（または内蔵メモリ２９）を予め正規の画像データファイルを記憶する本画像領域ＡＲ０１とインデックス画像であるサムネイル画像のデータを所定数記憶するアルバム領域ＡＲ０２とに区分設定しておくことにより、２つのエリアＡＲ０１，ＡＲ０２の区分設定をユーザ自身が把握しておくことで、インデックス画像であるサムネイル画像を新しいものから順次所定数だけは被写体の履歴を示すものとして確保できる。
【００８３】
加えて、新しいサムネイル画像の撮影に伴って古いサムネイル画像データを自動的に消去することにより、ユーザの手間を簡略化し、シャッタチャンスを逃さず、いつでもサムネイル画像の撮影を実行できる。
【００８４】
なお、上記第２の実施の形態では、上記ステップＢ０５で、メモリカード２８（または内蔵メモリ２９）の本画像領域ＡＲ０１に必要な空き容量がないと判断した場合にのみ、上記ステップＢ０７に進む構成について説明したが、上記ステップＢ０５で、メモリカード２８（または内蔵メモリ２９）の本画像領域ＡＲ０１に必要な空き容量があると判断され、上記ステップＢ０６の処理を行なった後に、直ちに上記ステップＢ０１に進むことなく、上記ステップＢ０７に進む構成としてもよい。
【００８５】
つまり、上記本画像領域ＡＲ０１の空き容量にかかわらず、上記アルバム領域ＡＲ０２に新たに作成されたサムネイル画像が記録される構成としてもよい。そして、この場合には、上記ステップＢ０９における警告表示は、上記ステップＢ０５で、メモリカード２８（または内蔵メモリ２９）の本画像領域ＡＲ０１に必要な空き容量がないと判断された場合に実施されることが好ましい。
【００８６】
また、上記本画像領域ＡＲ０１の空き容量にかかわらず、上記アルバム領域ＡＲ０２に新たに作成されたサムネイル画像が記録される場合には、上記本画像領域ＡＲ０１には、サムネイル画像を含まない画像ファイルが記録される構成としてもよい。
【００８７】
いずれにしても、最新のサムネイル画像から所定数前に生成されたサムネイル画像までが記録される構成となっていれば、直近から所定撮影回数前までの撮影履歴を常時記憶させておくことが可能となり、ユーザはこれによって少なくとも撮影履歴だけは確認することができる。
【００８８】
（第３の実施の形態）  
以下本発明をデジタルカメラに適用した場合の第３の実施の形態について図面を参照して説明する。  
なお、このデジタルカメラの電子回路の構成自体については、基本的に上記図１に示した内容と同様であるので、同一部分には同一符号を用いて、その図示と説明とを省略するものとする。
【００８９】
なお、本実施の形態では、図４に示す如く、メモリカード２８及び内蔵メモリ２９はいずれも、撮影により得た画像データをユーザが予め設定した画像サイズでデータファイル化して記録する本画像領域ＡＲ０１と、撮影により得た画像データを一律の画像サイズ、例えばＶＧＡ（横６４０×縦４８０画素）に間引くことで縮小したアルバム画像及びサムネイル画像をまとめてデータファイル化して所定数記録するアルバム領域ＡＲ０２とを区分設定しているものとする。
【００９０】
本画像領域ＡＲ０１は、その時点でユーザが設定している画像サイズに応じた画像データと、当該画像データから作成したサムネイル画像データ、及び撮影データ等を一括してＪＰＥＧデータファイルとして記録する領域である。したがって、この本画像領域ＡＲ０１に記録することのできるＪＰＥＧデータファイルの数は、その時点でユーザが設定している画像サイズにより増減する。
【００９１】
一方のアルバム領域ＡＲ０２は、一般にこのデジタルカメラ１０でユーザが設定する画像サイズよりも小さく、且つ表示部２５の表示容量（例えば２０万画素程度）に比して充分と思われる一律の画像サイズ、例えばＶＧＡ（横６４０×縦４８０画素（＝約３０万画素））に間引いたアルバム画像及びサムネイル画像を撮影データ等と一括し、これもＪＰＥＧデータファイルとして記録するもので、所定数、例えば各５０枚分記憶する固定容量の領域となる。
【００９２】
図６は、静止画像の撮影モード時の基本的な処理内容を示すもので、その制御動作はすべて制御部２２内の不揮発性メモリに記憶された動作プログラムに基づいて制御部２２が実行する。
【００９３】
その動作当初には、その時点でＣＣＤ１３に結像されている内容を表示部２５にて表示させる、所謂スルー画像の表示を行ないながら（ステップＣ０１）、キー入力部２６のシャッタキーの操作があったか否かを判断する（ステップＣ０２）、という処理を繰返し実行することで、スルー画像を表示しながら、シャッタキーが操作されるのを待機する。
【００９４】
しかして、静止画像の撮影を指示するべくシャッタキーが操作されると、上記ステップＣ０２でこれを判断し、シャッタキーの操作をトリガとしてそれまでのスルー画像の表示状態を一旦停止し、直ちにＡＦ（自動合焦）処理及びＡＥ（自動露光）処理を実行して適正な合焦位置、露光値を決定した上でこれらをロックし（ステップＣ０３）、その時点で設定されている画像サイズ、及び画質の条件に基づく撮影を実行して（ステップＣ０４）、得た画像データを本画像データとしてＤＲＡＭ２１へ保持する。
【００９５】
このとき制御部２２は、上記ＤＲＡＭ２１に保持する画像データ１フレーム分を適宜所定の圧縮率でデータ圧縮し、加えてこれに所定の画像サイズに縮小したインデックス画像であるサムネイル画像を作成した上で各種撮影条件のデータ等を付加した、Ｅｘｉｆ（Ｅｘｃｈａｎｇｅａｂｌｅ  ｉｍａｇｅ  ｆｉｌｅ  ｆｏｒｍａｔ）規格に則ったＪＰＥＧデータファイルを作成した場合のデータ量を試算し、そのデータ量分だけメモリカード２８（メモリカード２８が装着されていない場合は内蔵メモリ２９）の本画像領域ＡＲ０１に空きがあるか否かを判断する（ステップＣ０５）。
【００９６】
ここで、メモリカード２８（または内蔵メモリ２９）の本画像領域ＡＲ０１に必要な空き容量があると判断した場合には、そのままＤＲＡＭ２１に保持している画像データにより上述したＥｘｉｆの規格に則ったＪＰＥＧの画像データファイルを作成し、メモリカード２８（または内蔵メモリ２９）の本画像領域ＡＲ０１に記録した上で（ステップＣ０６）、次の撮影に備えるべく、再び上記ステップＣ０１からの処理に戻る。
【００９７】
また、上記ステップＣ０５でメモリカード２８（または内蔵メモリ２９）の本画像領域ＡＲ０１に必要な空き容量がないと判断した場合には、次に上記ＤＲＡＭ２１に保持する画像データから一律の画像サイズに間引いたアルバム画像及びサムネイル画像を纏めてデータファイル化した場合の当該画像データファイル分の空き容量がメモリカード２８（メモリカード２８）のアルバム領域ＡＲ０２にあるか否かを判断する（ステップＣ０７）。
【００９８】
ここで、当該画像データファイル分の空き容量があると判断した場合には、次いでＤＲＡＭ２１に保持している画像データからアルバム画像及びサムネイル画像を撮影データ等と纏めてデータファイル化して作成し、作成した画像データファイルをメモリカード２８（または内蔵メモリ２９）のアルバム領域ＡＲ０２に記録する（ステップＣ０８）。
【００９９】
また、上記メモリカード２８（メモリカード２８）のアルバム領域ＡＲ０２にアルバム画像データを含む画像データファイル分の空き容量がないと判断した場合には、次いでＤＲＡＭ２１に保持している画像データからアルバム画像及びサムネイル画像を撮影データ等と纏めてデータファイル化して作成し、メモリカード２８（または内蔵メモリ２９）のアルバム領域ＡＲ０２にすでに記録されている、最もタイムスタンプ情報の古い画像データファイルを消去設定した上でその古い画像データファイルに対して新しい画像データファイルを上書き記録する（ステップＣ１０）。
【０１００】
上記ステップＣ０８またはＣ１０でアルバム画像を含む画像データファイルの記録を行なった上で、空き容量が足りないために本画像領域ＡＲ０１への正規の記録を行なうことができなかった旨のガイドメッセージ（図では「警告メッセージ」と称する）、例えば  
「メモリが足りないために、  
アルバム画像のみを記録しました。  
不要な画像を消去して下さい。」  
なる文字列を表示部２５にて一定時間表示し（ステップＣ０９）、その後に次の撮影に備えるべく、再び上記ステップＣ０１からの処理に戻る。
【０１０１】
このように、本来設定したサイズの画像データには劣るものの、例えば表示部２５の画面では多少拡大したとしても充分精細に表示させることが可能な画像サイズをアルバム画像データとしてサムネイル画像と組み合わせてアルバム領域ＡＲ０２に記録することで、内容の確認を行なう程度には明瞭なインデックス画像データを取得して記録させることができる。
【０１０２】
さらに、アルバム領域ＡＲ０２に記憶した画像は、本画像領域ＡＲ０１に記録した画像データファイルに準拠した画像データファイルの形式に記録するものとしたので、このアルバム領域ＡＲ０２に記録した画像データを選択して読出すことで、他の外部機器、例えばプリンタやパーソナルコンピュータ等でも、解像度等の点では本来の画像サイズのものと同等とはなり得ないが、アルバム画像を本来の画像データファイルと同様に認識し、利用することができる。
【０１０３】
なお、上記第３の実施の形態では、上記ステップＣ０５で、メモリカード２８（または内蔵メモリ２９）の本画像領域ＡＲ０１に必要な空き容量がないと判断した場合にのみ、上記ステップＣ０７に進む構成について説明したが、上記ステップＣ０５で、メモリカード２８（または内蔵メモリ２９）の本画像領域ＡＲ０１に必要な空き容量があると判断され、上記ステップＣ０６の処理を行なった後に、直ちに上記ステップＣ０１に進むことなく、上記ステップＣ０７に進む構成としてもよい。
【０１０４】
つまり、上記本画像領域ＡＲ０１の空き容量にかかわらず、上記アルバム領域ＡＲ０２に新たに作成されたアルバム画像やサムネイル画像からなる画像データファイルが記録される構成としてもよい。そして、この場合には、上記ステップＣ０９における警告表示は、上記ステップＣ０５で、メモリカード２８（または内蔵メモリ２９）の本画像領域ＡＲ０１に必要な空き容量がないと判断された場合に実施されることが好ましい。
【０１０５】
また、上記本画像領域ＡＲ０１の空き容量にかかわらず、上記アルバム領域ＡＲ０２に新たに作成されたアルバム画像やサムネイル画像が記録される場合には、上記本画像領域ＡＲ０１には、サムネイル画像を含まない画像ファイルが記録される構成としてもよい。
【０１０６】
いずれにしても、最新のアルバム画像やサムネイル画像から所定数前に生成されたアルバム画像やサムネイル画像までが記録される構成となっていれば、直近から所定撮影回数前までの撮影履歴を常時記憶させておくことが可能となり、ユーザはこれによって少なくとも撮影履歴だけは確認することができる。
【０１０７】
さらに、上記第１乃至第３の実施の形態では、画像データを記録する媒体として、着脱可能なメモリカード２８と内蔵メモリ２９の２つのメモリを備えるものとし、メモリカード２８が装着されていればメモリカード２８を、メモリカード２８が装着されていなければ内蔵メモリ２９を用いるものとして説明したが、本発明はそのような記録媒体の優先順位に限定するものではない。
【０１０８】
また、上記第１乃至第３の実施の形態では、上記ステップＡ０５、上記ステップＢ０５または上記ステップＣ０５において、ＪＰＥＧデータファイルを作成した場合のデータ量を試算し、これをしきい値としてメモリカード２８（または内蔵メモリ２９）の空き容量を判断する構成について説明したが、上記しきい値は、これに限定するものではなく、適宜設定することができる。
【０１０９】
さらに、上記第２及び第３の実施の形態では、メモリカード２８または内蔵メモリ２９に対して本画像領域ＡＲ０１とアルバム領域ＡＲ０２とを区分設定するものとして説明したが、例えばメモリカード２８と内蔵メモリ２９のように、２つの記録媒体に合わせて物理的な媒体単位で領域を設定するものとしてもよい。
【０１１０】
この場合、例えば内蔵メモリ２９は内蔵であるがために容量を変えることができず、アルバム領域ＡＲ０２に適用する一方で、メモリカード２８はユーザが任意容量のものを選択して装着することができるため、個々のデータ容量が大きくなる画像データファイルを記録する本画像領域ＡＲ０１として必要に応じて容量の選択を行なうことかできる。
【０１１１】
さらに、内蔵メモリ２９を備えない代わりに、デジタルカメラ１０が２つのメモリカードスロットを設けて２枚のメモリカード２８が装着可能であるものとしてもよい。その場合、形状の異なる２つのメモリカードを装着可能としてもよいし、同一形状の２つのメモリカードを装着可能としてもよい。
【０１１２】
また上記各実施の形態は、本発明をデジタルカメラに適用した場合について説明したが、本発明はこれに限らず、カメラ機能付きの携帯電話機や同機能付きのＰＤＡ、ポータブルタイプのパーソナルコンピュータなど、その他の撮像機能を有する小型電子機器にも同様に適用可能である点は言うまでもない。
【０１１３】
その他、本発明は上記実施の形態に限らず、その要旨を逸脱しない範囲内で種々変形して実施することが可能であるものとする。
【０１１４】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１１５】
【図１】本発明の第１の実施の形態に係るデジタルカメラの電子回路の機能構成を示すブロック図。
【図２】同実施の形態に係る静止画の撮影モード時の基本的な処理内容を示すフローチャート。
【図３】同実施の形態に係るガイドメッセージの画面表示例を示す図。
【図４】本発明の第２の実施の形態に係るメモリカード（内蔵メモリ）の領域の区分設定状態を示す図。
【図５】同実施の形態に係る静止画の撮影モード時の基本的な処理内容を示すフローチャート。
【図６】本発明の第３の実施の形態に係る静止画の撮影モード時の基本的な処理内容を示すフローチャート。
【符号の説明】
【０１１６】
１０…デジタルカメラ、１１…モータ（Ｍ）、１２…撮影レンズ光学系、１３…ＣＣＤ、１４…タイミング発生器（ＴＧ）、１５…ＣＣＤドライバ、１６…ＡＧＣ／ＳＨ回路、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…表示コントローラ、２４…ＶＲＡＭ、２５…表示部、２６…キー入力部、２７…画像圧縮／伸長回路、２８…メモリカード、２９…内蔵メモリ、３０…音声処理部、３１…フラッシュ駆動部、３２…マイクロホン部、３３…スピーカ部、３４…フラッシュ発光部。
【図１】
2008022477.tif 000003
【図２】
2008022477.tif 000004
【図３】
2008022477.tif 000005
【図４】
2008022477.tif 000006
【図５】
2008022477.tif 000007
【図６】
2008022477.tif 000008